(57)【要約】【課題】移動型Ｘ線装置の撮影条件の設定や、照射録の記録の管理保管を自動化して敏速かつ簡単に行える移動型Ｘ線装置および撮影システムを提供する。【解決手段】Ｘ線照射部２を有する移動型Ｘ線装置１は、撮影データを送受信するための無線通信手段（携帯電話）１１が接続される通信用インターフェース９と、Ｘ線照射部２の照射の制御を行うＸ線制御部７１と、撮影データが書き込まれ、または読み出されるデータ記憶部７２と、無線通信手段１１の通信を制御する通信制御部７３とを具える。複数の機器が互いに無線通信手段１１，１２を介して送受信可能になっており、複数の機器のうち少なくとも一つを前記移動型Ｘ線装置１として撮影システムを構成する。複数の機器を、各機器に記録されている撮影データを無線通信手段１１，１２を介して転送して、自動的に設定、管理保管を行う。【選択図】  図１
2004337264.tif 000002
【特許請求の範囲】
【請求項１】
Ｘ線照射部を有する移動型Ｘ線装置において、
撮影データを送受信するための無線通信手段が接続される通信用インターフェースと、
Ｘ線照射部の照射の制御を行うＸ線制御部と、
撮影データが書き込まれ、または読み出されるデータ記憶部と、
無線通信手段の通信を制御する通信制御部とを
具えることを特徴とする移動型Ｘ線装置。
【請求項２】
通信用インターフェースには、ケーブルを介して無線通信手段を接続するようにしていることを特徴とする請求項１に記載の移動型Ｘ線装置。
【請求項３】
通信用インターフェースと無線通信手段のイヤホンジャックとをケーブルで接続するようにしていることを特徴とする請求項２に記載の移動型Ｘ線装置。
【請求項４】
複数の機器が互いに無線通信手段を介して送受信可能になっており、複数の機器は撮影データを送受信するための無線通信手段が接続される通信用インターフェースを具え、複数の機器のうち少なくとも一つが請求項１から請求項３の何れかに記載の移動型Ｘ線装置であることを特徴とする撮影システム。
【発明の詳細な説明】
【０００１】
【発明の属する技術分野】
本発明は、Ｘ線照射部を有し、回診先である病室でＸ線撮影が行える移動型Ｘ線装置に関する。
【０００２】
【従来の技術】
一般にＸ線撮影の際には、撮影の度に撮影条件、例えば管電圧、撮影時間などを設定して撮影を行う。また、撮影した後の撮影条件のデータはホストコンピュータにおいて記録されて管理・保管される。さらに、経過観察のための撮影では、予め定められた撮影条件で撮影を行う。
【０００３】
ところで、移動型Ｘ線装置を用いてＸ線撮影を行う場合、回診先である病室まで移動型Ｘ線装置を移動させて撮影を行うようにしている。移動型Ｘ線装置はその使用態様から、担当医師からの撮影条件を用紙に記載しておいて、撮影後の撮影データについては、移動型Ｘ線装置のモニターに表示された撮影条件を一旦記録用紙に手書きで書き写したり、あるいはプリントアウトしていた。
【０００４】
そして、用紙に記載された撮影データを撮影者のＰＣ（パーソナルコンピュータ）に手入力していた。撮影者用ＰＣはＬＡＮを介してホストコンピュータとネットワーク化されているので、撮影者は、撮影者用ＰＣからホストコンピュータにデータを送信していた。
【０００５】
また経過観察撮影を行う場合も、ホストコンピュータで保管されている経過観察用の撮影条件を撮影者用ＰＣに出力し、この撮影者用ＰＣのモニター画面から一旦記録用紙に手書きで書き写し、あるいはプリントアウトして、用紙に記載された撮影条件を移動型Ｘ線装置へ手入力で設定していた。
【０００６】
撮影条件を手書きする場合は、表示されたデータを所定の記録用紙等に手書きした後、撮影者用ＰＣまたは移動型Ｘ線装置へ手入力する手間が発生し、さらに、データの写し間違い、入力ミスなども生じやすい。
【０００７】
また、データがプリントアウトされるように構成された移動型Ｘ線装置であっても、データを撮影者用ＰＣへ手入力する手間は生じるし、入力ミスも発生しやすい。
【０００８】
そこで、例えば特許文献１に示すように、ＩＣカード等の可搬型データ記憶可能手段を用い、ＩＣカードに一旦撮影データを記憶させて、このデータを転送するものが提案されている。
【０００９】
特許文献１では、ＩＣカードを用いて移動型Ｘ線装置で撮影した撮影データを撮影者用ＰＣに記録させる場合は、まず、ＩＣカードを移動型Ｘ線装置に接続し、移動型Ｘ線装置で撮影した撮影データをＩＣカードに書き込む操作が行われる。
【００１０】
そして、データが書き込まれたＩＣカードを撮影者用ＰＣに接続し、ＩＣカードのデータを撮影者用ＰＣで読み取る操作が行われる。この場合、撮影者用ＰＣには、データの写し間違いを起こすことなく撮影データを記録して保管することができる。
【００１１】
また、ＩＣカードを用いて撮影者用ＰＣに記録されているデータを移動型Ｘ線装置に取り込む場合も、まず、ＩＣカードを撮影者用ＰＣに接続し、撮影者用ＰＣに保管されている撮影データをＩＣカードに書き込む操作が行われる。そして、データが書き込まれたＩＣカードを移動型Ｘ線装置に接続し、データを移動型Ｘ線装置で読み取る操作が行われる。この場合、ＩＣカードからデータを読み取るだけで移動型Ｘ線装置において撮影条件を自動設定することができる。
【００１２】
【特許文献１】特開平５−２１２０１８号公報
【００１３】
【発明が解決しようとする課題】
しかしながら、特許文献１に開示されるＩＣカードをデータ転送の媒体とする場合、撮影者がＩＣカードをいちいち移動型Ｘ線装置または撮影者用ＰＣに接続して、データの読み取り、または、書き込みの操作を行う必要がある。
【００１４】
このように、移動型Ｘ線装置から該媒体へのデータ転送の操作、該媒体から撮影者用ＰＣへのデータ転送の操作と、少なくとも２回のデータ転送の操作が必要となり操作が煩雑であった。
【００１５】
そこで本発明は、上記問題点に鑑み、移動型Ｘ線装置の撮影条件の設定、データ管理している機器とのデータのやり取りを敏速かつ簡単に行える移動型Ｘ線装置を提供することを目的とする。
【００１６】
【課題を解決するための手段】
本発明は、Ｘ線照射部を有する移動型Ｘ線装置において、撮影データを送受信するための無線通信手段が接続される通信用インターフェースと、Ｘ線照射部の照射の制御を行うＸ線制御部と、撮影データが書き込まれ、または読み出されるデータ記憶部と、無線通信手段の通信を制御する通信制御部とを具える構成とすることにより、上記目的を達成する。
【００１７】
移動型Ｘ線装置は、Ｘ線照射部の他に、Ｘ線照射部を支持する支持部と、支持部が固定される支持台と、この支持台に搭載される本体部と、支持台に取り付けられる車輪とを具える。
【００１８】
本体部には、高電圧発生部と、Ｘ線制御部と、データ記憶部と、通信制御部と、操作部と、通信用インターフェースとが具えられている。通信用インターフェースには、携帯電話などの無線通信手段を接続するようになっている。
【００１９】
無線通信手段としては携帯電話や、無線ＬＡＮ端末や、これと同等の機構を有する機器を用いることができるが、携帯電話（ＰＨＳを含む）が適している。特に、ＰＨＳが好ましく、ＰＨＳを用いる場合には院内通話もできる。
【００２０】
無線通信手段として例えば携帯電話を用いる場合、通信用インターフェースには、ＵＳＢケーブルなどのケーブルを介して携帯電話を接続したり、ケーブルを用いずに通信用インターフェースに直接接続することができる。さらに、無線通信手段を携帯電話とする場合、通信用インターフェースと携帯電話のイヤホンジャックとをケーブルを介して接続することもできる。
【００２１】
Ｘ線制御部は、Ｘ線照射部を設定された照射条件でＸ線撮影を行うように制御する。
【００２２】
データ記憶部は、撮影データが書き込まれ、または読み出される。具体的には、データ記憶部には、Ｘ線照射部で撮影した直後の撮影データが書き込まれたり、通信用インターフェースを介して撮影者（Ｘ線技師）が使用するＰＣ（パーソナルコンピュータ）やホストコンピュータなどのデータ保存用機器に記録されている撮影データが書き込まれる。
【００２３】
さらに、データ記憶部に記録された撮影データは、読み出してＸ線制御部に自動的に設定されたり、通信用インターフェースを介してデータ保存用機器に送られる。
【００２４】
データ記憶部に記録される撮影データは、例えば、患者の名前、患者のＩＤ、撮影日、管電圧（ｋＶ）、管電流時間積（ｍＡｓ）、撮影部位、撮影方向、体厚などが挙げられる。なお、移動型Ｘ線装置は、デジタル撮影画像が得られる場合には、このデジタル撮影画像をデータ記憶部に記録することができる。
【００２５】
通信制御部は、無線通信手段の通信を制御するとともに、データ記憶部に記録されているデータの送受信の制御を行う。データの送受信の制御とは、例えば、データ記憶部に記憶されているデータを撮影者用ＰＣに送信したり、この撮影者用ＰＣからデータを受信するように制御することをいう。
【００２６】
さらに、本発明では、前記した移動型Ｘ線装置を含む複数の機器を互いに無線通信手段を介して送受信可能にする撮影システムを提供する。複数の機器は撮影データを送受信するための無線通信手段が接続される通信用インターフェースを具える。
【００２７】
複数の機器としては、前記した本発明の移動型Ｘ線装置だけでなく、撮影者（Ｘ線技師）が使用するＰＣ（パーソナルコンピュータ）、撮影データの保存管理を行うホストコンピュータや、医師が使用するＰＣなどが挙げられる。そして、これらの機器にも無線通信手段が接続される。
【００２８】
複数の機器は、全て無線通信手段が接続されるようにしてもよいし、例えば、移動型Ｘ線装置と撮影者用ＰＣにのみ無線通信手段を接続し、他の機器、例えばホストコンピュータおよび医師のＰＣは、通常のＬＡＮにより通信可能としてもよい。なお、ホストコンピュータなどに無線通信手段を接続する場合は、携帯電話（ＰＨＳを含む）を使用することができるが、無線ＬＡＮ端末を使用することが好ましい。
【００２９】
本発明の撮影システムによれば、無線通信手段を介して、例えば、移動型Ｘ線装置から撮影者用ＰＣに移動型Ｘ線装置で撮影された撮影データを送信したり、撮影者用ＰＣから移動型Ｘ線装置に撮影者用ＰＣに保管されているデータを送信することができる。
【００３０】
本発明の移動型Ｘ線装置を用いてＸ線撮影を行う場合、まず、医師のＰＣからＸ線撮影の指示がネットワークを介してホストコンピュータに送られる。Ｘ線撮影の指示内容には、患者名、患者のＩＤ、管電圧（ｋＶ）、管電流時間積（ｍＡｓ）、撮影部位、撮影方向、撮影枚数などの撮影条件も含まれる。
【００３１】
撮影者は、撮影者用ＰＣによりホストコンピュータにアクセスして、このホストコンピュータから医師からの撮影指示を受け取る。
【００３２】
撮影者は、予め移動型Ｘ線装置に無線通信手段をケーブルを介して、または、直接通信用インターフェースに接続して、移動型Ｘ線装置と無線通信手段の電源を入れておく。電源投入により移動型Ｘ線装置は、通信制御部により無線通信手段の通信を制御して、無線通信手段を介してデータ記憶部へのデータの書き込みまたは、読み出しができる状態になっている。
【００３３】
そして、撮影者は、撮影者用ＰＣから無線通信手段を介して移動型Ｘ線装置に撮影条件を送信する。移動型Ｘ線装置は、この撮影条件を無線通信手段で受信し、データ記憶部に書き込む。データ記憶部に記録された撮影データは、Ｘ線制御部により読み出されて撮影条件が自動的に設定されるとともに、このＸ線制御部の出力で操作部の操作パネルに撮影条件が表示される。
【００３４】
撮影者は、操作パネル上に表示されている撮影データを確認し、該当する患者についてＸ線撮影を行う。
そして、撮影後の撮影データを、移動型Ｘ線装置から無線通信手段を介して撮影者用ＰＣに送る。撮影データとしては、患者のＩＤ、撮影日、管電圧（ｋＶ）、管電流時間積（ｍＡｓ）、撮影部位、撮影方向、体厚、撮影枚数、画像などが挙げられる。
【００３５】
撮影者用ＰＣに送られた撮影データは、ＬＡＮなどを介してホストコンピュータに転送される。この転送は、撮影者用ＰＣで受信後、そのまますぐにホストコンピュータに転送されるようになっている。なお、撮影者用ＰＣは、データを受信後に一旦データを保存しておいて、撮影者が、撮影者用ＰＣに保管された撮影データを確認した後、ホストコンピュータに転送するようにしてもよい。ホストコンピュータでは、この撮影データを保存管理する。
【００３６】
また、移動型Ｘ線装置側の無線通信手段を院内無線ＬＡＮ端末の一つとして動作させる場合には、撮影データは、撮影者用ＰＣに一旦記録されることなく、直接ホストコンピュータと通信を行うことによって、移動型Ｘ線装置からホストコンピュータへ直接送ってデータの管理を行うことができる。
担当医師は、画像データがホストコンピュータに転送されている場合には、医師のＰＣにホストコンピュータから画像データを含む撮影データを入手して診断を行うことができる。また、撮影データに画像データが無い場合には、Ｘ線写真と撮影条件との照合を行うことができる。
【００３７】
【発明の実施の形態】
以下、本発明の移動型Ｘ線装置および撮影システムの実施の形態の一例を図１及び図２に基づいて説明する。
【００３８】
本実施形態にかかる移動型Ｘ線装置１は、図１に示すように、被写体にＸ線を照射するＸ線照射部２と、これを支持する支持部３と、支持部３が固定される支持台４と、この支持台４に搭載される本体部５と、支持台４に取り付けられる車輪４１とを具える。
【００３９】
本体部５には、高電圧発生部６と、Ｘ線制御部７１と、データ記憶部７２と、通信制御部７３と、操作部８と、通信用インターフェース９とが具えられている。
【００４０】
操作部８は、手動操作での撮影条件の設定や改定を行う。さらに、操作部８は、図示していないが、撮影条件などを表示し、かつ、撮影条件の設定や改定するための表示パネル部を具える。通信用インターフェース９には、無線通信手段となる携帯電話（ＰＨＳ）１１を接続する。
【００４１】
Ｘ線制御部７１は、設定された照射条件でＸ線撮影を行うように高電圧発生部６を介してＸ線照射部２を制御する。データ記憶部７２には、撮影データが書き込まれ、または読み出されるようになっている。
【００４２】
データ記憶部７２には、例えば、患者の名前、患者のＩＤ、生年月日、性別、撮影日、撮影枚数、管電圧（ｋＶ）、管電流時間積（ｍＡｓ）、撮影部位、撮影方向、体厚など画像データ以外の撮影データが記録される。
【００４３】
データ記憶部７２には、制御手段７による制御で、移動型Ｘ線装置１で撮影した直後の撮影データを書き込むことができるし、通信用インターフェース９を介して後記する撮影者用ＰＣ１３に記録されている撮影データを取り込んで書き込むこともできる。
【００４４】
データ記憶部７２に記録された撮影データは、Ｘ線制御部７１によって読み出されて撮影条件が自動設定されたり、通信制御部７３により通信用インターフェース９を介して撮影者用ＰＣ１３に送ることもできる。
【００４５】
通信制御部７３は、携帯電話１１の通信を制御する。具体的には、この通信制御部７３により、データ記憶部７２に記録されている撮影データを撮影者用ＰＣ１３に送信したり、撮影者用ＰＣ１３から撮影データを受信してデータ記憶部７２に記録するように携帯電話１１の通信を制御する。携帯電話１１は、ＵＳＢケーブル１４を用いて移動型Ｘ線装置１の通信用インターフェース９に接続する。ＵＳＢケーブル１４は携帯電話１１のＵＳＢケーブル接続用のコネクタに接続する。
【００４６】
一方、Ｘ線技師（撮影者）の部屋には、撮影者用ＰＣが設置されており、この撮影者用ＰＣ１３は、患者の撮影データなどを一旦保管できるようになっている。撮影者用ＰＣ１３は、図２に示すように、ＬＡＮ１５を介してホストコンピュータ１６と通信可能になっている。さらに、ホストコンピュータ１６は、ＬＡＮ１５を介して医師が使用するドクター用ＰＣ１７と通信可能になっている。
【００４７】
撮影者用ＰＣ１３には、移動型Ｘ線装置１に接続された携帯電話１１と通信を行う携帯電話１２が接続される。撮影者用ＰＣ１３には、この携帯電話１２が接続される通信用インターフェース１３１と、通信制御部１３２と、データ記憶部１３３と、ＬＡＮ用インターフェース１３４とが具えられている。通信用インターフェース１３１には、ＵＳＢケーブル１４を介して携帯電話１２が接続される。
【００４８】
通信制御部１３２は、携帯電話１２の通信を制御するとともに、携帯電話１２で受信したデータをデータ記憶部１３３に書き込んだり、データ記憶部１３３に記録されているデータを読み出して携帯電話１２を介して移動型Ｘ線装置１に送信したりする。
【００４９】
本実施形態では、携帯電話１１，１２を用いることにより、移動型Ｘ線装置１と撮影者用ＰＣ１３との間の撮影データのやり取りが行える撮影システムを構成している。
【００５０】
次に、本実施形態の移動型Ｘ線装置および撮影システムを用いてＸ線撮影を行う作業について説明する。
【００５１】
まず、ドクター用ＰＣ１７からＸ線撮影の指示がＬＡＮ１５を介してホストコンピュータ１６に送られる。医師のＸ線撮影の指示内容には、患者名、患者のＩＤ、撮影枚数、管電圧（ｋＶ）、管電流時間積（ｍＡｓ）、撮影部位、撮影方向などの撮影条件が含まれる。
【００５２】
撮影者は、医師から電話連絡を受けて、ホストコンピュータ１６にＬＡＮ１５を介してアクセスし、患者情報、撮影条件など医師からの撮影指示内容（撮影データ）をホストコンピュータ１６から受けとる。
【００５３】
次に、撮影者は、撮影者用ＰＣ１３から、所定の移動型Ｘ線装置１に携帯電話１１，１２を介して患者情報、撮影条件など医師からの撮影指示内容（撮影データ）を送信する。
【００５４】
撮影者は、撮影待機中、移動型Ｘ線装置１の電源を投入しておくとともに、移動型Ｘ線装置１に携帯電話１１をＵＳＢケーブル１４を介して接続しておく。携帯電話１１は電源を入れておく。
【００５５】
そして、撮影者用ＰＣ１３から移動型Ｘ線装置１に送信された撮影データは、通信制御部７３の通信制御により携帯電話１１で受信される。受信された撮影データは、データ記憶部７２に書き込まれる。次に、Ｘ線制御部７１にデータ記憶部７２から撮影データが読み出されて撮影条件が自動設定され、Ｘ線制御部７１により、操作部８の操作パネル部に撮影条件が表示される。
【００５６】
操作部８の操作パネル部には、図示していないが、撮影する患者が複数いる場合には、これらの患者に関する情報を撮影リストとしてまず表示させる。撮影者は、撮影リストを参照することで、撮影対象の患者名を確認して、その患者に対応付けられた撮影番号を表示画面上で選択する。この選択情報は、Ｘ線制御部７１により認識される。
【００５７】
Ｘ線制御部７１は、選択した撮影番号に対応する撮影情報の全て（撮影条件等を含む撮影情報全て）を、操作部８の操作パネル部に表示させる。操作パネル部には、選択された撮影番号に対応する患者情報、撮影条件等が表示される。例えば、撮影部位は「胸郭」、撮影条件は「○○ｋＶ、○○ｍＡｓ」などと表示される。
【００５８】
撮影者は、操作パネル部上に表示されている撮影データを確認し、該当する患者についてＸ線撮影を行う。撮影者は、移動型Ｘ線装置１を、撮影対象の患者が待機している病室へ運び、患者の患部にＸ線照射部２をセットする。
【００５９】
移動型Ｘ線装置１は、操作パネル部に表示されている撮影条件によって、Ｘ線制御部７１によりＸ線照射部２でのＸ線照射が制御される。これによりＸ線照射部２において、撮影時に撮影者用ＰＣ１３から送られてきた撮影条件で該当する患者に対してＸ線を照射することができる。尚、ここでの撮影条件は、操作部８において、撮影者が所定の操作を行うことにより、撮影現場にて一部変更することも可能である。
【００６０】
Ｘ線撮影が終了すると、該当する患者の撮影後の撮影データがデータ記憶部７２に書き込まれる。データ記憶部７２には、Ｘ線撮影が行われた後の画像データを除く撮影データ全てが記録される。なお、撮影条件を撮影者用ＰＣ１３からのデータに対して変更を加えた場合には、この変更後の撮影データをデータ記憶部７２に記録する。上述のような撮影動作は、撮影リスト中に複数の患者数がある場合には、全ての患者に対して繰り返し実行される。
【００６１】
全ての患者に対する撮影が終了すると、通信制御部７３による通信制御により移動型Ｘ線装置１から撮影後の撮影データが携帯電話１１，１２を介して撮影者用ＰＣ１３に送信される。このときの撮影データは、患者名、患者のＩＤ、生年月日、性別、撮影日、撮影枚数、管電圧（ｋＶ）、管電流時間積（ｍＡｓ）、撮影部位、撮影方向、体厚などの画像を除く全ての撮影データである。
【００６２】
撮影者用ＰＣ１３が受信した撮影データは、データ記憶部１３３に記録された後、すぐにＬＡＮ用インターフェース１３４およびＬＡＮ１５を介してホストコンピュータ１６に送られる。ホストコンピュータ１６では、移動型Ｘ線装置１で撮影された撮影データが保管される。担当医師は、ドクター用ＰＣ１７からＬＡＮ１５を介してホストコンピュータ１６にアクセスし、撮影後の撮影データを入手してＸ線写真と撮影データの照合を行うことができる。
【００６３】
上述のように、本実施の形態では、撮影者用ＰＣ１３から移動型Ｘ線装置１に被写体の撮影に関する撮影データ（患者情報や撮影条件）を携帯電話１１，１２を介して送信して、移動型Ｘ線装置１においてこの撮影情報に基づいた撮影を行なう。
【００６４】
そして、撮影後の撮影データをデータ記憶部７２に記録し、全ての撮影が終了した後に、データ記憶部７２に記録されている撮影データを、携帯電話１１，１２を介して撮影者用ＰＣ１３に送信する。
【００６５】
このような撮影システムを構成することにより、移動型Ｘ線装置１における撮影を撮影条件を間違えることなく容易に、そして正確に行うことができ、撮影データのホストコンピュータ１６での管理も容易に、そして記録ミスが生じることなく効率的に行える。しかも、ＩＣカードなどの可搬型記憶媒体の取り付けや取り外しの作業等を削減できるので、より効率的な撮影を行える。
【００６６】
また、無線通信手段として携帯電話を用いているので、携帯電話の送受信可能な圏内であれば、病院外に移動型Ｘ線装置を運び出して、Ｘ線撮影を行うことも可能となる。
【００６７】
なお、前記実施形態では、携帯電話のＵＳＢコネクタと通信用インターフェースとの接続にＵＳＢケーブルを用いたが、通信用インターフェースと携帯電話のイヤホンジャックとをケーブルで接続するようにしてもよい。
【００６８】
このようにケーブルの接続に携帯電話のイヤホンジャックを用いることにより、トーンシグナルでデータをやり取りできるので、通信容量に限度はあるが接続構成を簡易なものとすることができる。
【００６９】
【発明の効果】
以上説明したように、本発明の移動型Ｘ線装置および撮影システムによれば、以下の効果を提供することができる。
【００７０】
本発明の移動型Ｘ線装置は、通信用インターフェースと、データ記憶部および通信制御部とを有する制御手段とを具える構成としているので、無線通信手段により撮影データを送受信するだけで撮影条件の設定および撮影後のデータの管理を正確に行える。
【００７１】
その結果、撮影情報として多くの情報を用いる場合であっても、必要な撮影情報を間違えることなく、容易に、効率的に、且つ正確に、Ｘ線撮影を行える。さらに、撮影終了後も、無線通信手段を介して撮影データをホストコンピュータに容易にかつ正確に保存管理することができる。
【００７２】
また、通信用インターフェースに、ケーブルを介して無線通信手段、例えば携帯電話を接続するようにすれば、必要なときに無線通信手段を移動型Ｘ線装置に接続できる。また、ケーブルとしてＵＳＢケーブルを用いれば、画像データを含む容量の多いデータにも対応できる。
【００７３】
また、通信用インターフェースと無線通信手段のイヤホンジャックとをケーブルで接続するようにすれば、トーンシグナルでデータをやり取りできるので、通信容量に限度はあるが接続構成を簡易なものとすることができる。
【００７４】
しかも、複数の機器が互いに無線通信手段を介して送受信可能になっており、複数の機器のうち少なくとも一つが本発明の移動型Ｘ線装置とする撮影システムを構成する場合は、機器間での撮影データのやり取りを簡単に、かつ、確実に行える。
【００７５】
以上のように本発明によれば、記録用紙やＩＣカードなどの中間記録媒体を介さず直接通信によりデータの授受を行えるので、データの授受ための操作や手間が簡素化され、また誤記や操作ミスの排除による信頼性の向上が図れる。
【図面の簡単な説明】
【図１】本発明移動型Ｘ線装置を具える撮影システムの概略構成図である。
【図２】本発明移動型Ｘ線装置を具える撮影システムの制御を示すブロック図である。
【符号の説明】
１  移動型Ｘ線装置
２  Ｘ線照射部
３  支持部
４  支持台
４１  車輪
５  本体部
６  高電圧発生部
７１  Ｘ線制御部
７２  データ記憶部
７３  通信制御部
８  操作部
９  通信用インターフェース
１１，１２  携帯電話（無線通信手段）
１３  撮影者用ＰＣ
１３１  通信用インターフェース
１３２  通信制御部
１３３  データ記憶部
１３４  ＬＡＮ用インターフェース
１４  ＵＳＢケーブル
１５  ＬＡＮ
１６  ホストコンピュータ
１７  ドクター用ＰＣ
【図１】
2004337264.tif 000003
【図２】
2004337264.tif 000004